【手続補正書】
【提出日】平成19年10月15日(2007.10.15)
【手続補正１】
【補正対象書類名】明細書
【補正対象項目名】発明の名称
【補正方法】変更
【補正の内容】
【発明の名称】有機発光素子を用いた表示装置
【手続補正２】
【補正対象書類名】明細書
【補正対象項目名】特許請求の範囲
【補正方法】変更
【補正の内容】
【特許請求の範囲】
【請求項１】
入力電流をカレントミラー比に基づいて少なくとも２つ以上の出力に分配するための１つもしくは複数の分配用ミラートランジスタと、
各出力に設けられた複数の階調表示用トランジスタ群と、
前記階調表示用トランジスタに流れる電流を有機発光素子を有する表示部のソース信号線に出力するか出力しないかを選択する切り替え部とを具備し、
前記分配用ミラートランジスタのドレイン及びゲート電極と、前記階調表示用トランジスタ群のゲート電極とが、共通ゲート線により接続された電流駆動型表示装置の駆動用半導体回路を利用する、有機発光素子を用いた表示装置であって、
前記共通ゲート線に接続された前記分配用ミラートランジスタのチャネル面積の総和は、前記分配用ミラートランジスタと前記共通ゲート線により接続された前記階調表示用トランジスタのチャネル面積の総和の０．０１倍以上０．５倍以下である有機発光素子を用いた表示装置。
【請求項２】
出力ごとに設けられた複数の階調表示用トランジスタと、
前記複数の階調表示用トランジスタに流れる電流を制御するために、前記複数の階調表示用トランジスタとカレントミラー構成により接続された少なくとも１つ以上の分配用ミラートランジスタと、
有機発光素子を有する表示部のソース信号線に前記階調表示用トランジスタの電流を出力するか出力しないかを映像信号により選択する複数の第１の切り替え部と
少なくとも１つのゲート電極−ドレイン電極間が短絡された電流経路形成用トランジスタと、
前記電流経路形成用トランジスタに前記階調表示用トランジスタの電流を出力するか出力しないかを選択する少なくとも１つの第２の切り替え部とを具備し、
前記出力ごとに、
前記映像信号のビット数分の前記第１の切り替え部が形成され、
前記第１の切り替え部に少なくとも１つの前記階調表示用トランジスタが接続され、
前記第２の切り替え部は、一方が同一の前記第１の切り替え部に接続された前記階調表示用トランジスタすべてに対して接続され、前記接続されていない端子に対して、前記電流経路形成用トランジスタと接続され、
前記第１の切り替え部と前記第２の切り替え部はオンオフが互いに逆となる
ことを特徴とする有機発光素子を用いた表示装置。
【請求項３】
前記第２の切り替え部は、前記映像信号の最上位ビットに相当する前記第１の切り替え部に対して形成されたことを特徴とする、請求項２記載の有機発光素子を用いた表示装置。
【請求項４】
前記第２の切り替え部は、前記映像信号の全ビットに対する前記第１の切り替え部に対して形成されたことを特徴とする、請求項２記載の有機発光素子を用いた表示装置。
【請求項５】
前記電流経路形成用トランジスタのチャネルサイズは、前記第２の切り替え部を介して接続された前記階調表示用トランジスタが出力する電流が印加された際に、前記階調表示用トランジスタのドレイン電圧が、前記ソース信号線の階調表示時における電圧変化範囲内となることを特徴とする請求項２記載の有機発光素子を用いた表示装置。
【請求項６】
前記電流経路形成用トランジスタのゲート電圧とドレイン電流の関係が、画素に設けられた駆動用トランジスタのゲート電圧に対するドレイン電流の関係と一致することを特徴とする請求項２記載の有機発光素子を用いた表示装置。
【請求項７】
出力ごとに設けられた複数の階調表示用トランジスタと、
前記複数の階調表示用トランジスタに流れる電流を制御するために、前記複数の階調表示用トランジスタとカレントミラー構成により接続された少なくとも１つ以上の分配用ミラートランジスタと、
有機発光素子を有する表示部のソース信号線に前記階調表示用トランジスタの電流を出力するか出力しないかを映像信号により選択する複数の第１の切り替え部と
抵抗素子と、
前記抵抗素子に前記階調表示用トランジスタの電流を出力するかしないかを選択する少なくとも１つの第２の切り替え部とを具備し、
前記出力ごとに、
前記映像信号のビット数分の前記第１の切り替え部が形成され、
前記第１の切り替え部に少なくとも１つの前記階調表示用トランジスタが接続され、
前記第２の切り替え部は、一方が同一の前記第１の切り替え部に接続された前記階調表示用トランジスタすべてに対して接続され、前記接続されていない端子に対して、前記抵抗素子と接続され、
前記抵抗素子は、前記第２の切り替え部と接続されていない端子が、電源と接続され
前記第１の切り替え部と前記第２の切り替え部はオンオフが互いに逆となり
前記第１の切り替え部がオン状態の時には、前記階調表示用トランジスタの電流を前記ソース信号線に出力し、
前記第２の切り替え部がオン状態の時には、前記抵抗素子に前記階調表示用トランジスタの電流を出力することを特徴とする有機発光素子を用いた表示装置。
【請求項８】
前記第２の切り替え部は、前記映像信号の全ビットに対する前記第１の切り替え部に対して形成されたことを特徴とする、請求項６記載の有機発光素子を用いた表示装置。
【請求項９】
前記抵抗素子の抵抗値は、前記第２の切り替え部を介して接続された前記階調表示用トランジスタが出力する電流が印加された際に、前記階調表示用トランジスタのドレイン電圧が、前記ソース信号線の階調表示時における電圧変化範囲内となることを特徴とする請求項６記載の有機発光素子を用いた表示装置。
【請求項１０】
入力電流をカレントミラー比に基づいて少なくとも２つ以上の出力に分配するための１つもしくは複数の分配用ミラートランジスタと、
各出力に設けられた複数の階調表示用トランジスタ群と、
前記階調表示用トランジスタに流れる電流を有機発光素子を有する表示部のソース信号線に出力するか出力しないかを選択する切り替え部とを具備し、
前記すべての分配用ミラートランジスタのドレイン及びゲート電極と、前記全ての階調表示用トランジスタ群のゲート電極とが、共通ゲート線により接続された電流駆動型表示装置の駆動用半導体回路を利用する、有機発光素子を用いた表示装置であって、
前記分配用ミラートランジスタのチャネル長に対するチャネル幅の割合が０．０１以上０．６以下であることを特徴とする有機発光素子を用いた表示装置。
【手続補正３】
【補正対象書類名】明細書
【補正対象項目名】０００１
【補正方法】変更
【補正の内容】
【０００１】
【発明の属する技術分野】
本発明は、たとえば、有機電界発光素子など、電流量により階調表示を行う表示装置に用いる電流出力を行う駆動用半導体回路を利用する、有機発光素子を用いた表示装置に関する。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
【課題を解決するための手段】
本発明者は、たとえば、隣接配置されたドライバＩＣ１７間で、基準電流のばらつきを小さくし、電流出力元が異なるＩＣ１７間の隣接画素において、中間調表示時にソース信号線に出力される電流のばらつきが１％以内とするように、基準電流発生部の構成を考えた。
第１の本発明は、入力電流をカレントミラー比に基づいて少なくとも２つ以上の出力に分配するための１つもしくは複数の分配用ミラートランジスタと、
各出力に設けられた複数の階調表示用トランジスタ群と、
前記階調表示用トランジスタに流れる電流を有機発光素子を有する表示部のソース信号線に出力するか出力しないかを選択する切り替え部とを具備し、
前記分配用ミラートランジスタのドレイン及びゲート電極と、前記階調表示用トランジスタ群のゲート電極とが、共通ゲート線により接続された電流駆動型表示装置の駆動用半導体回路を利用する、有機発光素子を用いた表示装置であって、
前記共通ゲート線に接続された前記分配用ミラートランジスタのチャネル面積の総和は、前記分配用ミラートランジスタと前記共通ゲート線により接続された前記階調表示用トランジスタのチャネル面積の総和の０．０１倍以上０．５倍以下である有機発光素子を用いた表示装置である。
なお、本発明に関連する第１の発明は、入力電流をカレントミラーにより駆動用半導体回路の少なくとも２つ以上の出力に分配するための１つもしくは複数の分配用ミラートランジスタ（図３、３２）と、
複数の階調表示用トランジスタ（図３、３３ａ〜３３ｃ）と、
前記階調表示用トランジスタ（３３ａ〜３３ｃ）に流れる電流を外部に出力するか出力しないかを選択する切り替え部（図３、３８ａ〜３８ｃ）とを具備し、
前記すべての分配用ミラートランジスタ（３２）のドレイン及びゲート電極と、前記全ての階調表示用トランジスタ（３３ａ〜３３ｃ）とが、共通ゲート線（図３、３７）により接続された電流駆動型表示装置の駆動用半導体回路において、
前記分配用ミラートランジスタ（３２）のチャネル面積の総和は、前記分配用ミラートランジスタ（３２）と前記共通ゲート線（３７）により接続された前記階調表示用トランジスタ（３３ａ〜３３ｃ）のチャネル面積の総和の０．０１倍以上０．５倍以下である駆動用半導体回路である。
【手続補正６】
【補正対象書類名】明細書
【補正対象項目名】００２２
【補正方法】変更
【補正の内容】
【００２２】
また、本発明に関連する第２の発明は、前記複数の階調表示用トランジスタとは、（１）入力映像信号のビット数以上の個数の階調表示用トランジスタ、または（２）表示階調数より一つ少ない個数の階調表示用トランジスタである本発明に関連する第１の発明の駆動用半導体回路である。
【手続補正７】
【補正対象書類名】明細書
【補正対象項目名】００２３
【補正方法】変更
【補正の内容】
【００２３】
また、本発明に関連する第３の発明は、前記分配用ミラートランジスタのチャネル面積の総和は、前記分配用ミラートランジスタと前記共通ゲート線により接続された前記階調表示用トランジスタのチャネル面積の総和の０．０５倍以上０．５倍以下である本発明に関連する第１の発明の駆動用半導体回路である。
【手続補正８】
【補正対象書類名】明細書
【補正対象項目名】００２４
【補正方法】変更
【補正の内容】
【００２４】
また、本発明に関連する第４の発明は、ゲート電圧値により流れる電流が制御される複数の階調表示用トランジスタ（図４０、３３ａ〜３３ｃ）と、
前記階調表示用トランジスタ（３３ａ〜３３ｃ）に流れる電流を外部に出力するか出力しないかを選択する入力映像信号のビット数と同数の切り替え部（図４０、１１３）と、
ソースドレイン間が短絡された、少なくとも１つの電流経路形成用トランジスタ（図４０、４０１）とを具備し、
前記階調表示用トランジスタ（３３ａ〜３３ｃ）は、前記切り替え部（１１３）を介して外部に電流を出力し、前記１つ電流経路形成用トランジスタ（４０１）に対し、前記切り替え部（１１３）と状態が反対となる１つの第２の切り替え部（図４０、４０３）が接続され、
前記第２の切り替え部（４０３）は前記電流経路形成用トランジスタ（４０１）の数に応じて、前記入力映像信号の最上位ビットから用意された数だけ順に、前記切り替え部（１１３）の前記階調表示用トランジスタ（３３ａ〜３３ｃ）と接続される端子と接続されることで、前記階調表示用トランジスタ（３３ａ〜３３ｃ）には常にゲート電圧に応じたドレイン電流が流れる駆動用半導体回路である。
【手続補正９】
【補正対象書類名】明細書
【補正対象項目名】００２５
【補正方法】変更
【補正の内容】
【００２５】
また、本発明に関連する第５の発明は、前記複数の階調表示用トランジスタとは、（１）入力映像信号のビット数以上の個数の階調表示用トランジスタ、または（２）表示階調数より一つ少ない個数の階調表示用トランジスタである本発明に関連する第４の発明の駆動用半導体回路である。
【手続補正１０】
【補正対象書類名】明細書
【補正対象項目名】００２６
【補正方法】変更
【補正の内容】
【００２６】
また、本発明に関連する第６の発明は、前記少なくとも１つの電流経路形成用トランジスタとは、入力映像信号のビット数と同じ個数の電流経路形成用トランジスタである本発明に関連する第４の発明の駆動用半導体回路である。
【手続補正１１】
【補正対象書類名】明細書
【補正対象項目名】００２７
【補正方法】変更
【補正の内容】
【００２７】
また、本発明に関連する第７の発明は、ゲート電圧値により流れる電流が制御される複数の階調表示用トランジスタ（図４３、３３ａ〜３３ｃ）と、
前記階調表示用トランジスタ（３３ａ〜３３ｃ）に流れる電流を外部に出力するか出力しないかを選択する入力映像信号のビット数と同数の切り替え部（図４３、１１３）と、
一端が正電源と接続された、少なくとも１つの抵抗素子（図４３、４３１）とを具備し、
前記階調表示用トランジスタ（３３ａ〜３３ｃ）は、前記切り替え部（１１３）を介して外部に電流を出力し、前記少なくとも１つの抵抗素子（４３１）に対し、前記切り替え部（１１３）と状態が反対となる１つの第２の切り替え部（図４０、４０３）が接続され、
前記第２の切り替え部（４０３）は前記抵抗素子（４３１）の数に応じて、前記入力映像信号の最上位ビットから用意された数だけ順に、前記切り替え部（１１３）の前記階調表示用トランジスタ（３３ａ〜３３ｃ）と接続される端子と接続されることで、前記階調表示用トランジスタ（３３ａ〜３３ｃ）には常にゲート電圧に応じたドレイン電流が流れる駆動用半導体回路である。
【手続補正１２】
【補正対象書類名】明細書
【補正対象項目名】００２８
【補正方法】変更
【補正の内容】
【００２８】
また、本発明に関連する第８の発明は、前記複数の階調表示用トランジスタとは、（１）入力映像信号のビット数以上の個数の階調表示用トランジスタ、または（２）表示階調数より一つ少ない個数の階調表示用トランジスタである本発明に関連する第７の発明の駆動用半導体回路である。
【手続補正１３】
【補正対象書類名】明細書
【補正対象項目名】００２９
【補正方法】変更
【補正の内容】
【００２９】
また、本発明に関連する第９の発明は、前記少なくとも１つの抵抗素子とは、入力映像信号のビット数と同じ個数の抵抗素子である本発明に関連する第７の発明の駆動用半導体回路である。
【手続補正１４】
【補正対象書類名】明細書
【補正対象項目名】００３０
【補正方法】変更
【補正の内容】
【００３０】
また、本発明に関連する第１０の発明は、入力電流をカレントミラーにより駆動用半導体回路の少なくとも２つ以上の出力に分配するための１つもしくは複数の分配用ミラートランジスタ（図３、３２）と、
複数の階調表示用トランジスタ（図３、３３ａ〜３３ｃ）と、
前記階調表示用トランジスタ（３３ａ〜３３ｃ）に流れる電流を外部に出力するか出力しないかを選択する切り替え部（図３、３８ａ〜３８ｃ）とを具備する駆動用半導体回路において
前記複数の階調表示用トランジスタ（３３ａ〜３３ｃ）のチャネル幅／チャネル長の値が０．０１以上０．６以下である駆動用半導体回路である。
【手続補正１５】
【補正対象書類名】明細書
【補正対象項目名】００３１
【補正方法】変更
【補正の内容】
【００３１】
また、本発明に関連する第１１の発明は、前記複数の階調表示用トランジスタとは、（１）入力映像信号のビット数以上の個数の階調表示用トランジスタ、または（２）表示階調数より一つ少ない個数の階調表示用トランジスタである本発明に関連する第１０の発明の駆動用半導体回路である。
【手続補正１６】
【補正対象書類名】明細書
【補正対象項目名】００３２
【補正方法】変更
【補正の内容】
【００３２】
また、本発明に関連する第１２の発明は、本発明に関連する第１の発明の駆動用半導体回路を、有機発光素子を用いた表示パネルに用いた駆動用半導体回路を用いた表示装置である。
【手続補正１７】
【補正対象書類名】明細書
【補正対象項目名】００９１
【補正方法】変更
【補正の内容】
【００９１】
図３３の３３８に対応する期間では、階調データ３５３ａは黒データを、３５３ｂでは白データを出力する。これにより、スイッチ３８ａ及び３８ｂは非導通状態となり、３８ｃと３８ｄは導通状態となる。これにより、トランジスタ３３のドレイン電圧は、３５１ａと３５１ｂではドライバＩＣ１７のグランド電位に近い値（図３６に示した電圧Ｖｄｂ）となり、３５１ｃ及び３５１ｄは、ソース信号線２０１ｂの電位Ｖｗと等しくなる。ソース信号線２０１ａの電位はＶｂとなる。画素２０８ａに黒を書きこんでいるとすると、スイッチ３８ａ及び３８ｂが非導通状態であるため、ソース信号線２０１ａはドライバＩＣと切り離された状態にある。一方画素２０８ａ内部においては、ゲート信号線２０５及び２０６の操作によりトランジスタ２０２ｃ及び２０２ｄは導通状態、２０２ｂは非導通状態となる。また、ソース信号線２０１ａにつながる他の全ての画素はゲート信号線の操作により、ソース信号線から電気的に切り離された状態にある。ソース信号線２０１ａは、電源２０７とトランジスタ２０２ａを介して接続された状態にある。トランジスタ２０２ａを介して電流が流れる経路がないため、トランジスタ２０２ａは電流が流れなくなるように、ドレイン電位を上昇させる。従って電圧Ｖｂはほぼ電源電圧２０７に等しくなる。
【手続補正１８】
【補正対象書類名】明細書
【補正対象項目名】０１０４
【補正方法】変更
【補正の内容】
【０１０４】
第２の方法は、共通ゲート線３７の電圧を揺らす原因となる、階調表示用電流源３３のドレイン電圧の変化量を小さくする方法である。変化量を小さくすることで、容量結合により変化する共通ゲート線３７の変化量も小さくすることが可能になる。